(57)【要約】【課題】携帯端末のサイズを大きくすることなく表示プレートを容易に取り出しできるようにする。【解決手段】カードを出し入れ可能なカード用コネクタ１０におけるＳＩＭカード１１の出し入れに付随して出し入れ可能な表示プレート２０を設ける。例えば、この表示プレート２０に識別番号を表示する（ラベル２１）。【選択図】図１
2015041230.tif 000002
【特許請求の範囲】
【請求項１】
カードを出し入れ可能なカード用コネクタを有する携帯端末において、
上記カード用コネクタのカードの出し入れに付随して出し入れ可能な表示プレートを有する
ことを特徴とする携帯端末。
【請求項２】
請求項１に記載の携帯端末において、
上記表示プレートは、上記カード用コネクタにおける、カード挿入用開口に隣接された収容部内を通過するように設けられ、
上記カード用コネクタは、上記カードを押し出す付勢部材を備え、
上記表示プレートは、上記付勢部材に押圧されて上記カードを押し出す被押圧部に形成した突起に当接するアームを有する
ことを特徴とする携帯端末。
【請求項３】
請求項１に記載の携帯端末において、
上記表示プレートは、上記カード用コネクタにおける、カード挿入用開口に隣接された収容部内を通過するように設けられ、
上記カード用コネクタは、上記カードを押し出す付勢部材を備え、
上記表示プレートは、上記付勢部材に押圧されて上記カードを押し出す被押圧部に形成した凹部に嵌合する凸部を有する
ことを特徴とする携帯端末。
【請求項４】
請求項２又は３に記載の携帯端末において、
上記カード用コネクタは、２枚のカードをそれぞれ挿入可能なカード挿入用開口を有し、
上記２枚のカードのうち、必ず必要なカードのカード挿入用開口側に上記表示プレートが挿入されている
ことを特徴とする携帯端末。
【請求項５】
請求項１から４までのいずれか１つに記載の携帯端末において、
上記カード用コネクタを接続する電子回路基板を有し、
上記表示プレートは、上記電子回路基板を覆って筐体に固定する基板ホルダーにガイドされるように構成されている
ことを特徴とする携帯端末。
【発明の詳細な説明】
【技術分野】
【０００１】
本発明は、ＳＤカード、ＳＩＭカードなどを出し入れ可能なカード用コネクタを有する携帯端末に関するものである。
【背景技術】
【０００２】
ＩＭＥＩ（International Mobile Equipment Identifier）は、国際移動体装置識別番号（端末識別番号）を意味し、携帯電話機やデータ通信カードが１台ずつ持っている識別番号であり、原則として、各携帯端末はそれぞれ異なる番号を有する。この識別番号は、通常１５桁の数字からなっており、装置を製造したメーカーと機種を示す番号、生産国、固体に割り振られたシリアル番号、ＩＭＥＩが正しい内容であることを検証するためのチェックデジットが含まれている。このＩＭＥＩ、製造番号等の重要情報は、筐体内のいずれかに設けたトレイに記載されることが知られている。
【０００３】
一方、配置スペースの関係で、このトレイの周囲にはＳＤカード用コネクタ、ＳＩＭカード用コネクタ等として、挿入時及び取出時のいずれでも押込操作をするカード用コネクタ装置（特許文献１参照）、押しボタンによるカード用電気コネクタ(特許文献２参照)等、カードを容易に取り出すための機構を持った部品が配置されることが多い。
【先行技術文献】
【特許文献】
【０００４】
【特許文献１】特開２００６−１２７８０８号公報
【特許文献２】特開平６−２６０２４３号公報
【発明の概要】
【発明が解決しようとする課題】
【０００５】
近年、スマートフォンに代表される携帯端末の小型化、電池の内蔵化に伴い、ＩＭＥＩ、製造番号等の重要情報の表示エリアをとれなくなってきている。そのため、引き出し式のＩＭＥＩ表示用トレイに、ＩＭＥＩ等重要情報を表示し、必要なときだけそれを引き出して確認する手法が行われている。
【０００６】
しかし、スペース等の関係で、それを引き出すためには周囲の部品を取り出した上で、治具で引き出さねばならない等、引き出しにくいものが多かった。
【０００７】
本発明は、かかる点に鑑みてなされたものであり、その目的とするところは、携帯端末のサイズを大きくすることなく表示プレートを容易に取り出しできるようにすることにある。
【課題を解決するための手段】
【０００８】
上記の目的を達成するために、この発明では、カード用コネクタのカードを出し入れする機構を利用して表示プレートを取り出せるようにした。
【０００９】
具体的には、本発明では、カードを出し入れ可能なカード用コネクタを有する携帯端末を前提とし、上記携帯端末は、
上記カード用コネクタのカードの出し入れに付随して出し入れ可能な表示プレートを有する。
【００１０】
上記の構成によると、表示プレートを取り出す場合には、周囲の部品を取り外さなくても、カード用コネクタの出し入れ機構を利用して取り出すことができる。このため、表示プレートを取り出すためだけの部品やスペースをできるだけ少なくすることができる。
【発明の効果】
【００１１】
以上説明したように、本発明によれば、表示プレートをカード用コネクタのカードの出し入れに付随して出し入れ可能にしたことにより、携帯端末のサイズを大きくすることなく表示プレートを容易に取り出すことができる。
【図面の簡単な説明】
【００１２】
【図１】トレイ取り出し機構が見えるようにした拡大図を含む電子回路基板を示す斜視図である。
【図２】本発明の実施形態に係る携帯電話機及びその一部を拡大して示す斜視図である。
【図３】携帯電話機を示す分解斜視図である。
【図４】電子回路基板を一部拡大して示す斜視図である。
【図５】カード用コネクタを拡大して示し、（ａ）が背面側から見た斜視図及びプッシュプッシュ機構を取り出した斜視図で、（ｂ）が正面側から見た斜視図である。
【図６】表示プレートを拡大して示し、（ａ）が背面側から見た斜視図で、（ｂ）が正面側から見た斜視図である。
【図７】実施形態の変形例に係るカード用コネクタ及びその周辺を示す斜視図である。
【図８】変形例の付勢部材、被押圧部及びその周辺を拡大して示す背面図である。
【図９】変形例の表示プレートを拡大して示し、（ａ）が背面側から見た斜視図で、（ｂ）が正面側から見た斜視図である。
【発明を実施するための形態】
【００１３】
以下、本発明の実施形態を図面に基づいて説明する。
【００１４】
図２及び図３は本発明の実施形態の携帯端末としての携帯電話機１（スマートフォン）を示し、この携帯電話機１は、例えばタッチパネルを含む液晶表示部２を収容する、筐体としての正面側キャビネット３と、この正面側キャビネット３の背面側を覆う背面側キャビネット４とを備え、これら正面側キャビネット３及び背面側キャビネット４の上側に電子回路基板５が収容されている。電子回路基板５は、基板ホルダー６で覆われて正面側キャビネット３に固定されている。
【００１５】
図１及び図４に拡大して示すように、例えば、電子回路基板５の上側にＳＩＭカード１１及びＳＤカード１２を出し入れ可能なカード用コネクタ１０が取り付けられている。本実施形態のカード用コネクタ１０は、ＳＩＭカード１１を収容可能な第１ソケット１３と、ＳＤカード１２を収容可能な第２ソケット１４とが電子回路基板５を挟むように背中合わせに設けられている。詳しくは図示しないが、第１ソケット１３は第１カード挿入用開口１３ａからＳＩＭカード１１を押し出す付勢部材１６を備えている。なお、本実施形態では、カード用コネクタ１０は、第１ソケット１３と第２ソケット１４とをまとめてカード用コネクタ１０としているが、第１ソケット１３のみで構成されていてもよい。
【００１６】
図２に示すように、これら第１カード挿入用開口１３ａ及び第２カード挿入用開口１４ａは、背面側キャビネット４の上端に開口した例えば長円形状の貫通孔４ａからいずれも露出するようになっている。背面側キャビネット４の上側は、貫通孔４ａ周辺を含め切欠４ｂが形成され、この切欠４ｂから貫通孔４ａが露出するようになっている。図３に示すように、切欠４ｂは、貫通孔４ａを含めてコネクタカバー１５によって塞がれて防水及び防塵されている。
【００１７】
そして、２枚のカードのうち、ＳＩＭカード１１は、各携帯電話機１に必須のものであり、機種変更のとき以外は、取り出すことはまれである。ＳＤカード１２は、ユーザによっては使用せず、使用する場合でもデータを別の電子機器で使用する場合に取り出す程度である。そこで、本実施形態では、各携帯電話機１に必須のＳＩＭカード１１側の第１カード挿入用開口１３ａ側に表示プレート２０が挿入されている。表示プレート２０には、ＩＭＥＩ、製造番号等の重要情報が記載されたラベル２１が貼り付けられている。なお、ラベルを貼り付けるのではなく、印刷、刻印等によって表示プレート２０の表面に直接重要情報を記載するようにしてもよい。表示プレート２０の上端には、爪を掛けて引き出すための長円形状の指掛け用孔部２２が形成されている。
【００１８】
図５（ａ）に一部取り出して示すように、第１ソケット１３には、例えば圧縮コイルバネよりなる付勢部材１６に押圧されるＬ字状の被押圧部１７がスライド可能に収容され、この被押圧部１７は、公知のプッシュプッシュ機構（図示せず）に連動し、付勢部材１６に押圧されてＳＩＭカード１１を押し出す役割を果たす。被押圧部１７には、表示プレート２０を操作するための突起１８が背面側へ突出するように形成されている。突起１８は、第１ソケット１３に形成した上下方向に長いスリット１３ｂ内を移動可能となっている。ＳＤカード１２は、ユーザによっては使用しないこともあるが、携帯電話機１に必ず含まれるＳＩＭカード１１側に表示プレート２０が設けられているので、表示プレート２０の取り出しのためだけに余分な部材を設ける必要がない。また、従来より使用されている付勢部材１６により押される被押圧部１７に突起１８を設けるだけで、表示プレート２０の取り出しをカードの取り出しに付随させて行うことができる。なお、詳しくは図示しないが本実施形態では、第２ソケット１４も同様にプッシュプッシュ機構を有する。
【００１９】
表示プレート２０は、カード用コネクタ１０における、第１カード挿入用開口１３ａに隣接されたプレート収容部２３（図３にのみ示す）内をガイドされて通過するように設けられている。具体的には、プレート収容部２３は、電子回路基板５を覆って正面側キャビネット３に固定する基板ホルダー６によって覆われることで形成されている。図６に示すように、表示プレート２０には、被押圧部１７の突起１８が当接するアーム２４が一体に形成されている。本実施形態では、アーム２４は、表示プレート２０の側面から延びているが、表示プレート２０の表面又は裏面のいずれかに設けるようにしてもよい。このように、カード用コネクタ１０のすぐ近くに表示プレート２０を設け、そこから延びるアーム２４を被押圧部１７の突起１８で駆動するようにしているので、できるだけ狭いスペースで表示プレート２０の駆動構造を実現できる。また、従来より必要である基板ホルダー６に表示プレート２０のガイド機能を持たせることで、部品点数を増やすことなく、狭いスペースで表示プレート２０の駆動構造を実現できる。
【００２０】
次いで、表示プレート２０の取り出し手順について簡単に説明する。
【００２１】
まず、携帯電話機１上方のコネクタカバー１５を開いてＳＩＭカード１１を露出させる。
【００２２】
次いで、ＳＩＭカード１１を下方へ押し込むと、プッシュプッシュ機構１９の作用によってＳＩＭカード１１が上方に押し出される。このとき、被押圧部１７がＳＩＭカード１１だけでなく、突起１８によって表示プレート２０も押し出す。
【００２３】
次いで、露出した上端の指掛け用孔部２２に爪を掛けて引き出し、表示プレート２０の内容の確認をする。
【００２４】
確認後は、表示プレート２０をＳＩＭカード１１と共に押し込み、コネクタカバーで塞ぐ。  
【００２５】
このように、カード用コネクタ１０の出し入れに付随して出し入れ可能な表示プレート２０に識別番号を表示したので、表示プレート２０を取り出す場合には、周囲の部品を取り外さなくても、カード用コネクタ１０の出し入れ機構を利用して取り出すことができる。このため、表示プレート２０を取り出すためだけの部品やスペースをできるだけ少なくすることができる。
【００２６】
したがって、本実施形態にかかる携帯電話機１によると、識別番号が表示された表示プレート２０をＳＩＭカード１１の出し入れに付随して出し入れ可能としたことにより、携帯電話機１のサイズを大きくすることなく表示プレート２０を容易に取り出すことができる。
【００２７】
−変形例−
図７〜図９は本発明の実施形態の変形例を示し、表示プレート１２０の駆動構造が異なる点で上記実施形態と異なる。なお、本変形例では、図１〜図６と同じ部分については同じ符号を付してその詳細な説明は省略する。
【００２８】
すなわち、本変形例では、表示プレート１２０は、付勢部材１６に押圧されてＳＩＭカード１１を押し出す被押圧部１１７に形成した凹部１１８に嵌合する凸部１２４を有する。本変形例では、スリット１１３ｂは、凹部１１８に対応して第１ソケット１１３に設けられ、表示プレート１２０の正面側から突出する凸部１２４が、凹部１１８に嵌合した状態で上下方向に移動可能となっている。
【００２９】
本変形例でも上記実施形態と同様にＳＩＭカード１１を取り出すときに、プッシュプッシュ機構１１９によって表示プレート１２０を引き出すことができるので、携帯電話機１のサイズを大きくすることなく表示プレート１２０を容易に取り出すことができる。
【００３０】
上記実施形態では、表示プレート２０にＩＭＥＩ、製造番号等の重要情報を表示したが、それに限定されず製品の取扱注意事項など他の事項を表示するようにしてもよい。
【００３１】
（その他の実施形態）
本発明は、上記実施形態について、以下のような構成としてもよい。
【００３２】
すなわち、上記実施形態では、携帯端末は、携帯電話機１としたが、ＰＨＳ（Personal Handy-phone System ）、ＰＤＡ(Personal DigitalAssistant)、パソコン、モバイルツール、電子辞書、電卓、ゲーム機等であってもよい。
【００３３】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３４】
１      携帯電話機（携帯端末）
２      液晶表示部
３      正面側キャビネット（筐体）
４      背面側キャビネット
４ａ    貫通孔
４ｂ    切欠
５      電子回路基板
６      基板ホルダー
１０      カード用コネクタ
１１      ＳＩＭカード
１２      ＳＤカード
１３      第１ソケット
１３ａ    第１カード挿入用開口
１３ｂ    スリット
１４      第２ソケット
１４ａ    第２カード挿入用開口
１５      コネクタカバー
１６      付勢部材
１７      被押圧部
１８      突起
１９      プッシュプッシュ機構
２０      表示プレート
２１      ラベル
２２      指掛け用孔部
２３      プレート収容部
２４      アーム
１１３ｂ    スリット
１１７      被押圧部
１１８      凹部
１１９      プッシュプッシュ機構
１２０      表示プレート
１２４      凸部
【図１】
2015041230.tif 000003
【図２】
2015041230.tif 000004
【図３】
2015041230.tif 000005
【図４】
2015041230.tif 000006
【図５】
2015041230.tif 000007
【図６】
2015041230.tif 000008
【図７】
2015041230.tif 000009
【図８】
2015041230.tif 000010
【図９】
2015041230.tif 000011